(57)【特許請求の範囲】
【請求項１】
ポアソン・ベースの通信システムであって、
受信機を備え、該受信機は、
光子を受信して、該受信された光子に基づきパルスを生成する光検出器と、
該光検出器によって生成されたパルス数をカウントするサンプリング・イベント・カウンタと、
復調器であって、該復調器は、
所定の時間間隔に該サンプリング・イベント・カウンタのサンプリングを行い、光パルス・エネルギーが送信機によって送信され該光検出器によって受信されたとき、第１の状態の発生を決定し、光パルス・エネルギーが該送信機によって送信されておらず該光検出器によって受信されていないとき、第２の状態の発生を決定するサンプリング工程と、
複数の所定の時間間隔を通じた前記第１の状態および前記第２の状態の発生のパターンに基づくものであるシンボル波形中に符号化されたメッセージ・データまたは波形を回復するように、該シンボル波形を復号する工程であって、前記シンボル波形は、ゼロ復帰（ＲＺ）フォーマットおよび非ゼロ復帰（ＮＲＺ）フォーマットのうちの一方に基づく、復号工程と、
前記サンプリング・イベント・カウンタのカウント値から整合フィルタの応答を計算し、この応答の形状を使用して、前記サンプリング・イベント・カウンタから受信される信号エネルギーのカウントを最大にするように、前記サンプリング・イベント・カウンタの前記サンプリング工程を、前記第１の状態および前記第２の状態の発生のパターンに対応する入力シンボル波形に同期させるように前記サンプリング・イベント・カウンタにフィードバックする、計算工程とを実行する復調器と
を備える、システム。
【請求項２】
前記シンボル波形は、オンオフ変調（ＯＯＫ）されたフォーマットに基づく、請求項１に記載のシステム。
【請求項３】
前記復調器は、所与の所定の期間のうちの第１の所定の時間間隔に前記第１の状態の発生が決定され、それに続き前記所与の所定の期間のうちの第２の所定の時間間隔に前記第
２の状態の発生が決定された場合、第１の論理状態を決定し、
前記復調器は、所与の所定の期間のうちの第１の所定の時間間隔に前記第２の状態の発生が決定され、それに続き前記所与の所定の期間のうちの第２の所定の時間間隔に前記第１の状態の発生が決定された場合、第２の論理状態を決定する、請求項１に記載のシステム。
【請求項４】
前記復調器によってサンプリングが行われた、前記第１の状態に関連する前記カウント値は、前記送信機から送信された光パルス・エネルギーに関連する信号と前記光検出器によって検出された雑音との両方に基づき、
前記復調器によってサンプリングが行われた、前記第２の状態に関連する前記カウント値は、前記光検出器によって検出された雑音だけに基づく、請求項１に記載のシステム。
【請求項５】
前記復調器は、所与の所定の期間のうちの第１の所定の時間間隔に決定されたカウント値が、該第１の所定の時間間隔の後に続く前記所与の所定の期間のうちの第２の所定の時間間隔に決定されたカウント値より大きいとき、第１の論理状態を決定し、
前記復調器は、所与の所定の期間のうちの第１の所定の時間間隔に決定されたカウント値が、該第１の所定の時間間隔の後に続く前記所与の所定の期間のうちの第２の所定の時間間隔に決定されたカウント値より小さいとき、第２の論理状態を決定する、請求項１に記載のシステム。
【請求項６】
送信機をさらに備え、該送信機は、
メッセージ・データまたは波形を受け取り、該メッセージ・データまたは波形をシンボル波形に変換するシンボル・マッパと、
エミッタから前記受信機への光パルス・エネルギーの出力を、該シンボル波形に基づき制御する変調器とを備える、請求項１に記載のシステム。
【請求項７】
光通信システムにおいて通信を行うための方法であって、
メッセージ・データまたは波形をオンオフ変調（ＯＯＫ）されたフォーマットに基づくシンボル波形に変換する変換工程と、
該シンボル波形のオン状態およびオフ状態に基づき、光パルス・エネルギー送信と光パルス・エネルギー非送信との間で変調を行う変調工程と、
サンプリング・イベント・カウンタにおいて、複数の時間間隔のそれぞれを通じて、送信されたシンボル波形に関連する、受信された光子数をカウントするカウンティング工程と、
前記サンプリング・イベント・カウンタにおいて、該複数の時間間隔の所与の時間間隔に関連するカウント値が、送信された光パルス・エネルギーの該受信を示す所定の閾値を超えた場合、オン状態を決定して割り当て、送信された光パルス・エネルギーの非受信を示す該複数の時間間隔の所与の時間間隔にオフ状態を割り当てる決定・割り当て工程と、
前記複数の所定の時間間隔を通じた前記オン状態およびオフ状態の発生のパターンに基づき、前記シンボル波形中に符号化されたメッセージ・データまたは波形を回復するように、前記シンボル波形を復号する工程であって、前記シンボル波形は、ゼロ復帰（ＲＺ）フォーマットおよび非ゼロ復帰（ＮＲＺ）フォーマットのうちの一方に基づく、復号工程と、
前記サンプリング・イベント・カウンタによるカウント値から整合フィルタの応答を計算し、この応答の形状を使用して、前記サンプリング・イベント・カウンタから受信される信号エネルギーのカウントを最大にするように、前記サンプリング・イベント・カウンタによる前記決定および割り当てを、前記オン状態およびオフ状態の発生のパターンに対応する入力シンボル波形に同期させるように、前記サンプリング・イベント・カウンタにフィードバックする計算工程と、
を備える方法。
【請求項８】
所与の所定の期間のうちの第１の所定の時間間隔に前記オン状態の発生が決定され、それに続き前記所与の所定の期間のうちの第２の所定の時間間隔に前記オフ状態の発生が決定された場合、第１の論理状態を決定し、
所与の所定の期間のうちの第１の所定の時間間隔に前記オフ状態の発生が決定され、それに続き前記所与の所定の期間のうちの第２の所定の時間間隔に前記オン状態の発生が決定された場合、第２の論理状態を決定する工程をさらに備える、請求項７に記載の方法。
【請求項９】
前記第１の論理状態に関連する前記光子の前記カウント値は、光パルス・エネルギーに関連する信号と雑音との両方に基づき、
前記第２の論理状態に関連する前記光子の前記カウント値は、雑音だけに基づく、請求項８に記載の方法。
【発明の詳細な説明】
【技術分野】
【０００１】
本発明は、一般に通信に関し、具体的にはポアソン・ベースの通信システムおよび方法に関する。
【背景技術】
【０００２】
知られているポアソン分布のエミッタを適用するための現況技術は、光／電気（ＯＥ：ｏｐｔｉｃａｌ−ｔｏ−ｅｌｅｃｔｒｉｃａｌ）変換装置（または回路）を使用して、受信された信号を直ちにアナログ形態に変換することである。次いで、通常ＲＦ通信に関連するガウス・ベースの検出規則を使用して、処理される。アナログ形態への変換により、ガウス雑音が信号経路中に導入され、元のポアソン・ベースの信号の統計的特性が変更される。
【発明の概要】
【発明が解決しようとする課題】
【０００３】
しかし、ガウス・アプローチは、十分理解された信号処理の方法論に依存しているので、普及している。処理が比較的簡単であること、および拡大された動作領域の両方の点に関してポアソン・ベースの方法論を使用する利点は、まだ十分に理解されていない。これは、ある程度、システム性能の数学的な解析が困難なこと、および低コストの実装形態がないことによる。
【課題を解決するための手段】
【０００４】
本発明の一態様では、ポアソン・ベースの通信システムが提供される。このシステムは受信機を備え、この受信機は、光子を受信して、受信された光子に基づきパルスを生成する光検出器と、光検出器によって生成されたパルス数をカウントするサンプリング・イベント・カウンタと、復調器とを備える。復調器は、所定の時間間隔でサンプリング・イベント・カウンタのサンプリングを行い、光パルス・エネルギーが送信機によって送信され光検出器によって受信されたとき、第１の状態の発生を決定し、光パルス・エネルギーが送信機によって送信されておらず光検出器によって受信されていないとき、第２の状態の発生を決定する。
【０００５】
本発明の別の態様では、送信機および受信機からなるポアソン・ベースの通信システムが提供される。送信機は、メッセージ・データまたは波形を受け取り、そのメッセージ・データまたは波形をシンボル波形に変換するシンボル・マッパと、光パルスを受信機に送信するように構成されるエミッタと、シンボル波形に基づき、エミッタからの光パルス・エネルギーの出力を制御する変調器とからなる。受信機は、エミッタから光パルス・エネルギーを受信して、光検出器によって検出されたポアソン分布のイベント数に基づきパルスを生成する光検出器と、光検出器によって生成されたパルス数をカウントするサンプリング・イベント・カウンタと、復調器とからなる。復調器は、所定の時間間隔でサンプリング・イベント・カウンタのサンプリングを行い、エミッタから送信された光パルスおよび雑音が光検出器によって検出されて受信されたとき、第１の状態の発生を決定し、雑音だけが光検出器によって受信されて検出されたとき、第２の状態の発生を決定する。
【０００６】
本発明の別の態様によれば、光通信システム中において通信するための方法が提供される。この方法は、メッセージ・データまたは波形を、オンオフ変調（ＯＯＫ）されたフォーマットに基づくシンボル波形に変換する工程と、シンボル波形のオン状態およびオフ状態に基づき、光パルス・エネルギー送信と光パルス・エネルギー非送信との間で変調を行う工程と、複数の時間間隔のそれぞれにわたって、送信されたシンボル波形に関連する、
受信された光子数をカウントする工程とからなる。本方法は、複数の間隔の所与の時間間隔に関連するカウント値が、送信された光パルス・エネルギーの受信を示す、所定の閾値を超えたとき、オン状態を決定して割り当て、送信された光パルス・エネルギーの非受信を示す複数の間隔の所与の時間間隔にオフ状態を割り当てる工程をさらに含む。
【図面の簡単な説明】
【０００７】
【図１】本発明の態様による光通信システムを例示する図。
【図２】本発明の態様によるシンボル・フォーマットをもたらすための、ＮＲＺシンボル波形とともに、ＲＺシンボル波形を例示する図。
【図３】本発明の態様によるＲＺシンボルの平均値カウント波形表現を例示する図。
【図４】例示的な整合フィルタの出力波形のセットを例示する図。
【図５】本発明の態様によるＲＺシンボル波形を例示する図。
【図６】本発明の態様による、光通信システム中において通信するための方法の実施例を例示する図。
【発明を実施するための形態】
【０００８】
本発明は、一般に、ポアソン・ベースの光通信システムおよび方法に関する。本発明の一態様は、時間でサンプリングを行うイベント・カウンタを利用して、サンプル間隔中においてポアソン分布のイベント数（すなわち強度、光子数）を、アナログ電圧を用いてそれらイベント数を近似するのではなく直接取り込むものである。これは、連続的なアナログ処理のサンプリングを行う、入力レベルに対応するデジタル・ワードを出力するＡ／Ｄ変換器の使用に、いくぶんか類似している。この場合、サンプリング間隔を通じてイベント数がカウントされる。そのとき、連続するカウント・データ出力によって、受信された処理の時刻歴が生成される。すべてのカウントは、正確であり、Ａ／Ｄ変換に関連するエラーに相当するもの（たとえばサンプルおよびホールド・エラーおよび量子化雑音）を有さない。
【０００９】
本発明によって、通信用途においてポアソン・ベースのエミッタを効率的に使用できるようになり、それによって、そうでなければ実現性がないはずの広範な運用環境を通じて効果的な運用を達成するために、それらの独特な性質が活用される。本発明に関するもっとも一般的な応用がデジタル形態でデータを伝えることになるはずであるが、また、それは、アナログ（非デジタル化）信号を伝達するのに容易に適合される。本発明は、これらのシステムが、ポアソン過程の独特な性質を活用して、極めて遅い信号環境中および高いバックグラウンド雑音レベルの存在中の両方で動作できるようにすることを可能にする新しい構成要素および処理概念を導入するアーキテクチャを導入する。この方法論は、高コスト、超高性能システムと、性能が適度である、大量生産の低コスト・システムの両方に適合させることができる。
【００１０】
図１は、本発明の態様による光通信システム１０を例示する。光通信システム１０は、送信機１２および受信機２０からなる。送信機１２は、メッセージ・データまたは波形を受け取り、そのメッセージ・データまたは波形をシンボル波形フォーマット（たとえばオンオフ変調（ＯＯＫ）されたフォーマット）に変換するシンボル・マッパ１４からなる。シンボル波形は、送信光学系１７を通ったエミッタ１６からの光パルス・エネルギーの出力（たとえば光子）を、シンボル波形（たとえばシンボル波形のオン・オフ状態）に基づき制御する変調器１５に、提供される。次いで、光エネルギーは、物理的な送信チャネル１８、たとえば自由空間または水中を通じて受信機２０に送られる。受信機２０は、光子の形態で受信光学系１９を通じて光パルス・エネルギーを受信する光検出器２２からなる。光検出器２２は、サンプリング・イベント・カウンタ２４によってカウントされる、受信された光子（各ポアソン分布のイベントとして参照する）毎にパルスを出力する。
【００１１】
復調器２５が、サンプリング・イベント・カウンタ２４のサンプリングを行うことができ、それによって、光検出器２２によって検出されたポアソン分布のイベントまたは光子の数に対応する、サンプリング・イベント・カウンタ２４中のカウントを決定する。復調器２５は、サンプリング・イベント・カウンタ２４へのサンプリング制御（ＳＣ：ｓａｍｐｌｉｎｇ  ｃｏｎｔｒｏｌ）信号を介してサンプリング時間を制御するコントローラなどの制御構成要素からなる。このようにして、復調器２５は、出力パルスがエミッタ１６によって送信されたのかどうかの検出、および送信されたパルスからなるエネルギーが光検出器２２によって受信されたのかどうかの検出を最適にするようにサンプリングを調整する。オンおよびオフの送信、受信およびカウンティングによって、送信機１２によって送られたメッセージ・データまたは波形のシンボル・コードがフォーマッティングされ（たとえばオンオフ変調）、それは、さらに以下で議論するように、復調器２５によって復号することができる。次いで、復調器２５は、受信機２０によって受信された、受信されたメッセージ・データまたは波形にマッピングするために、復号されたシンボルをデータ・マッパ２６に提供する。復調器２５は、所定の間隔でサンプリング・イベント・カウンタ２４を読み出して、送信機１２からの出力パルスが光検出器２２によって受信されているのかどうかを決定する。復調器２５は、各読み出しの後にサンプリング・イベント・カウンタ２４をリセットする、またはカウンタの前の値を減じることができ、それによって所定の間隔に関連するサンプリング・イベント・カウンタ２４のカウント値が決定される。様々な他の構成要素、たとえばインターフェース構成要素、タイミングおよびパワー構成要素が送信機１２および受信機２０によって用いられることになることを認識すべきである。
【００１２】
本発明の態様によれば、波形および関連する復調技法は、ポアソン過程の独特な性質を活用するように適合されており、次のようである。
１）ポアソン過程のサンプリング値は、非負整数である（ゼロは、有効な結果である）、２）ポアソン過程の平均値および分散は、同一である、
３）ポアソン過程の標準偏差は、その平均の平方根に等しい、
４）分散の平均値は、直接加算される、すなわちＰｏｉｓ（ａ）＋Ｐｏｉｓ（ｂ）＝Ｐｏｉｓ（ａ＋ｂ）である、ただしａおよびｂは、加算されたポアソン過程の平均値である。
【００１３】
この最後の性質は、信号が、ガウス雑音と同様に雑音中に溶け込む代わりに、雑音上に乗っている状態を定義する。
ポアソン関数の独特な性質の１つは、その確率分布関数の形状が、その平均値とともに変化することである。この理由のために、ＳＮＲまたはエネルギー／ビット対雑音（Ｅｂ／Ｎｏ：ｅｎｅｒｇｙ／ｂｉｔ−ｔｏ−ｎｏｉｓｅ）パワー密度など、正規化された信号対雑音（ＳＮＲ：ｓｉｇｎａｌ−ｔｏ−ｎｏｉｓｅ）測定基準の使用は、ビット誤り率または受信されたアナログ信号の忠実度を計算するとき、独立変数として使用することができない。そのかわり、平均信号率（ｍｅａｎ  ｓｉｇｎａｌ  ｒａｔｅ）および平均雑音率（ｍｅａｎ  ｎｏｉｓｅ  ｒａｔｅ）によって定義される各実際の動作点（ＯＰ（Ｓ、Ｎ）として表す）は、これらの計算中で使用する必要がある。
【００１４】
本発明の態様では、各シンボルは、複数のカウント値の形態で、受信されるシンボル波形に同期されているサンプリング・イベント・カウンタ２４から復調器２５によって受信される。シンボル波形は、１つまたは複数のメッセージ・ビットを表すことができる。復調器２５は、シンボル決定処理を最適化するように、これらのカウント値から整合フィルタ（ｍａｔｃｈｅｄ  ｆｉｌｔｅｒ）の応答を計算する。その応答の形状によって、サンプリング・イベント・カウンタ２４のサンプリングを入力信号に同期させるようにサンプリング・イベント・カウンタ２４にフィードバックされ、それによって整合フィルタが、サンプリング・イベント・カウンタ２４から最大の信号エネルギーのカウントを抽出する。本発明の態様によれば、シンボル・フォーマットは、ゼロ復帰（ＲＺ：ｒｅｔｕｒｎ  
ｔｏ  ｚｅｒｏ）波形を用いて形成することができ、それによってメッセージ・データまたは波形を送信し受信するためのＯＯＫ（オンオフ変調）された信号がもたらされる。ＲＺ波形（マンチェスター・コーディッドとしても知られている）は、簡単な、しかし大いに有効な送信スキームのための基礎として用いることができる。あるいは、シンボル・フォーマットは、非ゼロ復帰（ＮＲＺ：ｎｏｎ−ｒｅｔｕｒｎ  ｔｏ  ｚｅｒｏ）を用いて形成することができ、それによってメッセージ・データまたは波形が送信され受信される。
【００１５】
図２は、本発明の態様によるシンボル・フォーマットを提供するための、ＮＲＺシンボル波形４０とともに、ＲＺシンボル波形４２を例示する。ＮＲＺシンボル・フォーマット４０に関して図２に示すように、第１の論理状態（たとえば論理「１」状態）は、所定の期間を通じてエネルギーを送信する（オン状態）ことによって設定することができ、一方第２の論理状態（たとえば論理「０」状態）は、所定の期間を通じてエネルギーを送信しない（オフ状態）ことによって設定することができる。ＲＺシンボル・フォーマット４０に関して図２に例示するように、第１の論理状態（たとえば論理「１」状態）は、所定の期間の第１の時間間隔を通じてエネルギーを送信する（オン状態）ことと、それに続く所定の期間の第２の時間間隔を通じてエネルギーを送信しない（オフ状態）ことによって設定することができ、さらに、第２の論理状態（たとえば論理「０」状態）は、所定の期間の第１の時間間隔を通じてエネルギーを送信しない（オフ状態）ことと、それに続く所定の期間の第２の時間間隔を通じてエネルギーを送信する（オン状態）ことによって設定することができる。
【００１６】
本発明の目的のためには、ＲＺシンボル・フォーマットは、ＮＲＺシンボル・フォーマットを超える、いくつかの全く性質が異なる利点、たとえば固定の５０％デューティ・サイクル、自己ロッキング（シンボル毎に少なくとも１回の遷移が存在する）および自己閾値化（ｓｅｌｆ  ｔｈｒｅｓｈｏｌｄｉｎｇ）（エネルギー状態および非エネルギー状態がすべてのシンボル中に起きる）を有する。ＲＺシンボル・フォーマットに関して次の実施例を例示するが、本発明の他の実施形態がＮＲＺシンボル・フォーマットまたは他のシンボル・フォーマット（たとえば、より高次のシンボル・フォーマット）を用いることができることを認識すべきである。
【００１７】
再び図１を参照すると、カウントは、光検出器２２で受信されるＲＺシンボルの各半分の間に行われる。ＲＺシンボルの一方の半分は、検出器によって生成される内部雑音のカウントに加算された、受信された光エネルギーによって生成されるカウントを含むことになる。平均値は、Ｓ＋Ｎになる。ＲＺシンボルの他方の半分は、その平均値がＮである検出器の雑音だけからのカウントを有することになる。その関係は、図３の波形５０に例示された１つのＲＺシンボルについて示されている。復調器２５は、所定のカウント値を用いてカウントをチェックすることができ、それによってＲＺシンボルの半分がオン状態またはオフ状態であるのかが決定される。
【００１８】
本発明の一態様によれば、ビット決定には、次の簡単な規則が使用される。すなわち、シンボルの第１の半分および第２の半分中のカウント数を比較すること；第１の半分がより大きい場合、そのシンボルは、第１の論理状態（たとえば論理「１」）であると宣言され、第２の半分が等しいまたはより大きい場合、そのシンボルは、第２の論理状態（たとえば論理「０」）であると宣言されることである。たとえば、論理「１」が送られたとき、第１の半分中のカウントは、その平均値が、受信された信号の平均と、所与の期間のその時間間隔の間に生成された検出器の雑音の平均の和に等しくなり；第２の半分中のカウントは、その平均値が、所与の期間の第２の時間間隔中だけの検出器の雑音の平均値に等しくなる。図３に示すように、Ｐｏｉｓ（Ｓ＋Ｎ）は、シンボルの信号の半分の間のポアソン過程を表し、Ｐｏｉｓ（Ｎ）は、雑音だけの半分の間のポアソン過程を表す。論理状
態は、論理「１」が、エネルギーがシンボルの第２の半分中に受信されたエネルギーであることに基づき、かつ論理「０」が、エネルギーがシンボルの第１の半分中に受信されたエネルギーに基づくように、置き換えることができる。
【００１９】
サンプリング処理と入力波形の間のタイミング・エラーは、復調器２５中に存在する整合フィルタの出力波形の対称性を測定することによって評価される。図４は、例示的な整合フィルタの出力波形のセットを例示する。所望のように位置合わせすると、時間通りの整合フィルタの出力波形６２で例示されたような時間対称の出力がもたらされる。非対称性は、サンプリングが、速い整合フィルタの出力波形６０で例示されるように「早い」、または遅い整合フィルタの出力波形６４で例示されるように「遅い」、いずれかを表す。相対的な非対称性の量は、エラーの程度に関する評価をもたらす。タイミング・エラーの評価は、補正信号の基礎を形成し、その信号は、サンプリング・タイミング発生器、たとえばデジタル・ダイレクト・シンセサイザ（Ｄｉｇｉｔａｌ  Ｄｉｒｅｃｔ  Ｓｙｎｔｈｅｓｉｚｅｒ）にフィードバックされる。小さいタイミング・エラーは、有意には性能を低下させない、したがって絶えずタイミング・エラーを完全になくす必要はない。この理由のために、この評価／補正処理は、連続的に実行させる必要はなく、むしろユーザ定義の間隔で（たとえば１秒当たり数回）行うほうがよい。エラー信号には、一般に雑音が含まれており、評価が補正として使用される前に、その評価を平滑化するために、フィルタリングが適用される。
【００２０】
図５は、本発明の態様によるＲＺシンボル波形７０を例示する。ＲＺシンボル波形７０は、平均到着率が２５０カウント／秒であるバックグラウンド雑音が存在する場合、その平均到着率が１００カウント／秒である。適切な信号波形設計および検出処理を用いると、信号は、バックグラウンド雑音から容易に抽出することができ、それによって、そうでなければ実現性がないはずの条件下で効果的な動作が可能になる。図５に例示するように、ＲＺシンボル波形７０は、論理「１」および「０」の２進法パターン（すなわち「１００１０１１１０１１」））を形成する、一連のシンボルからなる。示すように、論理「１」を有するシンボルは、第１の時間間隔を通じて信号のエネルギーおよび雑音があり、それに続く第２の時間間隔を通じて信号エネルギーがなく雑音だけがあることからなる。論理「０」を有するシンボルは、第１の時間間隔を通じて信号エネルギーがなく雑音だけがあることと、それに続く第２の時間間隔を通じて信号エネルギーおよび雑音があることとからなる。雑音は、通信システムの光検出器および他の構成要素からの雑音だけでなく、送信機の他に他のソースからの光も含むことを認識すべきである。
【００２１】
上記に述べた前述の構造的、機能的な特徴に鑑みて、本発明の様々な態様による方法論は、図６を参照すると、十分認識されるはずである。説明を簡単化するために、図６の方法論は、順次に実行されるものとして示し述べているが、本発明は、例示した順序によって限定されない、というのは、本発明によれば、いくつかの態様は、異なる順序で、および／または本明細書で示し述べた態様と異なる他の態様と同時に行うことができるはずであることを理解し認識すべきである。さらにまた、本発明の態様による方法論を実行するためには、すべての例示した特徴を必要としないことがある。
【００２２】
図６は、本発明の態様による、光通信システム中において通信するための方法１００の実施例を例示する。方法１００は、１０２で始まり、そこでは、メッセージ・データまたは波形がシンボル波形に変換される。シンボル波形は、１つまたは複数のシンボルからなることができる。シンボル波形は、たとえばＲＺフォーマットまたはＮＲＺフォーマットなど、オンオフ変調されたフォーマットに適合させることができる。１０４で、光パルス・エネルギーの送信が、シンボル波形に基づき、光パルス・エネルギー送信と光パルス・エネルギー非送信の間で変調される。次いで、方法論１００は、１０６に進む。１０６で、送信されたシンボル波形に関連する、受信された光子数が、複数の所定のカウント間隔
のそれぞれを通じてカウントされる。１０８で、オン状態またはオフ状態が、時間間隔毎に、各それぞれの時間間隔に関連するカウント値に基づき決定される。１１０で、シンボル波形は、シンボル波形中に符号化されたメッセージ・データまたは波形を、複数の所定の間隔を通じたオン状態およびオフ状態の発生のパターンに基づき回復するように復号される。
【００２３】
たとえば、所与の論理状態は、期間内の時間間隔が、オン状態（たとえば論理「１」）と、それに続くオフ状態である時間間隔であると決定されているのかどうかに基づき、あるいは期間内の時間間隔が、オフ状態（たとえば論理「０」）と、それに続くオン状態である時間間隔であると決定されているのかどうかに基づき、決定することができる（すなわちＲＺフォーマット）。あるいは、オン状態は、カウント値が所定の閾値を超えたとき、決定することができ、オフ状態は、カウント値が所定の閾値以下であるとき、決定することができる。次いで、所与の論理状態は、期間が、オン状態（たとえば論理「１」）である、またはオフ状態（たとえば論理「０」）と決定されているのかどうかに基づき、決定することができる（すなわちＮＲＺフォーマット）。さらにまた、論理状態は、カウント値が、その後の時間間隔のカウント値より大きいのか、または小さいのかどうかに基づき、決定することができる。本発明を実施するために、様々なシンボル・フォーマットおよびデコーディング技法を用いることができることを認識すべきである。
【００２４】
上記に述べた事項は、本発明の実施例である。もちろん、本発明を述べる目的のために、構成要素または方法論のすべてのあり得る組み合わせを述べることは不可能であるが、当業者は、本発明の多くのさらなる組み合わせおよび置換が可能であることを認められるはずである。したがって、本発明は、添付の請求項の趣旨および範囲内に含まれる、すべてのそのような変更実施形態、修正実施形態および変形実施形態を包含するものと意図する。
【図１】
0005940685.tif 000002
【図２】
0005940685.tif 000003
【図３】
0005940685.tif 000004
【図４】
0005940685.tif 000005
【図５】
0005940685.tif 000006
【図６】
0005940685.tif 000007